(57)【要約】【課題】本発明は、扉の下枠および沓摺の構造に関し、従来の構造においては、耐久性に課題があり、それを解決することである。【解決手段】扉の下部に設けられる下枠および沓摺の構造において、前記下枠２が、床面に載置される下枠用フラットバー２ａと、扉の片面側に当接し前記下枠用フラットバーに載置される下枠本体２ｂと、前記下枠用フラットバーの下面に固着して垂設される固定用金属棒５とで構成され、前記沓摺７が、前記床面に載置される沓摺用フラットバー７ａと、該沓摺用フラットバーの下面に固着して垂設された固定用金属棒８とで構成され、前記下枠用フラットバー２ａおよび沓摺用フラットバー７ａが、接着剤６を介して前記床面３に貼着され、前記下枠用フラットバーの固定用金属棒５と沓摺用フラットバーの固定用金属棒８とが、前記床面に穿設された固定用孔３ａに挿入され，且つ、接着剤６を介してそれぞれ固着されている扉の下枠および沓摺の構造１とする。【選択図】図１
2018135637.tif 000002
【特許請求の範囲】
【請求項１】
扉の下部に設けられる下枠および沓摺の構造において、
前記下枠が、床面に載置される下枠用フラットバーと、扉の片面側に当接し前記下枠用フラットバーに載置される下枠本体と、前記下枠用フラットバーの下面に固着して垂設される固定用金属棒とで構成され、
前記沓摺が、前記床面に載置される沓摺用フラットバーと、該沓摺用フラットバーの下面に固着して垂設された固定用金属棒とで構成され、
前記下枠用フラットバーおよび沓摺用フラットバーが、接着剤を介して前記床面に貼着され、
前記下枠用フラットバーの固定用金属棒と沓摺用フラットバーの固定用金属棒とが、前記床面に穿設された固定用孔に挿入され，且つ、接着剤を介してそれぞれ固着されていること、
を特徴とする扉の下枠および沓摺の構造。
【請求項２】
下枠用フラットバーは、その両端部で縦枠に当接する部分が、当該縦枠の一部に水平力に抗するように設けられた受け部に嵌合する嵌合部を有して形成され、当該下枠用フラットバーを縦枠に噛み合わせる構造にされていること、
を特徴とする請求項１に記載の扉の下枠および沓摺の構造。
【請求項３】
下枠本体には、扉との当接面に、音響及び空気遮断用の合成樹脂部材が設けられていること、
を特徴とする請求項１または２に記載の扉の下枠および沓摺の構造。
【請求項４】
下枠用フラットバーと、沓摺用フラットバーとは、共にステンレス製部材であること、
を特徴とする請求項１乃至３のいずれか１項に記載の扉の下枠および沓摺の構造。
【請求項５】
扉の下部に設けられる沓摺の構造において、
前記沓摺が、床面に載置される沓摺用フラットバーと、該沓摺用フラットバーの下面に固着して垂設された固定用金属棒とで構成され、
前記沓摺用フラットバーが、接着剤を介して前記床面に貼着され、前記沓摺用フラットバーの固定用金属棒が、前記床面に穿設された固定用孔に挿入され，且つ、接着剤を介してそれぞれ固着されていること、
を特徴とする扉の沓摺の構造。
【発明の詳細な説明】
【技術分野】
【０００１】
本発明は、建物における扉の下枠および沓摺の構造に関するものである。
【背景技術】
【０００２】
従来、扉の下枠および沓摺の構造１１においては、図４に示すように、扉１２の下枠１３は扉１２を閉じたときに該扉１２の下部が接する形に、沓摺１４はステンレスなどの金属板をコの字形に曲げ加工し、縦枠１５の下部に予め取り付けられている。床コンクリート表面１６には、モルタルが３０ｍｍ程度の厚さで塗られているので、結果的に床に沓摺１４の一部を埋め込む形となっている。
【０００３】
例えば、コンクリート直押さえ等の場合には、床コンクリートの内部に埋め込む必要が生じ、床コンクリートの床面１６を掘り込むことで、掘込み部分１６ａに沓摺１４の取付けを可能にしている。
【０００４】
しかしながら、コンクリートを掘り込むと、コンクリートスラブ構造体の断面欠損が生じ、鉄筋のかぶり不足も同時に生じる。梁構造体の上部に位置する場合は、主要構造部の断面欠損が生じていたことになる。また、外力が働く部材なので、材料の金属板が変形しないよう、曲げ加工して断面内部に予めモルタル等を充填する必要がある。沓摺の取付前にコンクリートを掘り込み、取付後にモルタル等にて埋め戻すという作業に掛かる工期と費用とが発生するという問題がある。
【０００５】
そこで、特許文献１に記載され、図５に示すように、取付作業の容易化と後付けを可能にするとともに、工期の短縮化を図るために、鋼材によって構成し、両端部が縦枠１５の下端部に固定される補強材１５ａ，１５ｂと、補強材１５ａ，１５ｂの外表面を覆い、且つ扉（開きドア）１２との間の遮音材１７が装着される遮音材装着部を有した沓摺本体１４とを備え、補強材１５ａ，１５ｂを介してコンクリートスラブの床面１６に取付ネジ１８を螺合することによって固定しているものが知られている。
【先行技術文献】
【特許文献】
【０００６】
【特許文献１】特開２０１６−１９９９７５号公報
【発明の概要】
【発明が解決しようとする課題】
【０００７】
しかし、従来の扉の下枠および沓摺の構造においては、例えば、事務所や機械室の防音用扉に多く使用されるグレモン錠では、扉を閉める際に大きな力が沓摺、下枠に加わるので、簡易な構造では耐久性に問題がある、また、レベルの微調整が困難となると言う課題がある。本発明に係る扉の下枠および沓摺の構造は、このような課題を解決するために提案されたものである。
【課題を解決するための手段】
【０００８】
本発明に係る扉の下枠および沓摺の構造の上記課題を解決して目的を達成するための要旨は、扉の下部に設けられる下枠および沓摺の構造において、前記下枠が、床面に載置される下枠用フラットバーと、扉の片面側に当接し前記下枠用フラットバーに載置される下枠本体と、前記下枠用フラットバーの下面に固着して垂設される固定用金属棒とで構成され、前記沓摺が、前記床面に載置される沓摺用フラットバーと、該沓摺用フラットバーの下面に固着して垂設された固定用金属棒とで構成され、前記下枠用フラットバーおよび沓摺用フラットバーが、接着剤を介して前記床面に貼着され、前記下枠用フラットバーの固定用金属棒と沓摺用フラットバーの固定用金属棒とが、前記床面に穿設された固定用孔に挿入され，且つ、接着剤を介してそれぞれ固着されていることである。
【０００９】
前記下枠用フラットバーは、その両端部で縦枠に当接する部分が、当該縦枠の一部に水平力に抗するように設けられた受け部に嵌合する嵌合部を有して形成され、当該下枠用フラットバーを縦枠に噛み合わせる構造にされていることである。
前記下枠本体には、扉との当接面に、音響及び空気遮断用の合成樹脂部材が設けられていることを含むものである。また、前記下枠用フラットバーと、沓摺用フラットバーとは、共にステンレス製部材であることである。
【００１０】
本発明に係る扉の沓摺の構造の上記課題を解決して目的を達成するための要旨は、扉の下部に設けられる沓摺の構造において、前記沓摺が、床面に載置される沓摺用フラットバーと、該沓摺用フラットバーの下面に固着して垂設された固定用金属棒とで構成され、前記沓摺用フラットバーが、接着剤を介して前記床面に貼着され、前記沓摺用フラットバーの固定用金属棒が、前記床面に穿設された固定用孔に挿入され，且つ、接着剤を介してそれぞれ固着されていることである。
【発明の効果】
【００１１】
本発明に係る扉の下枠および沓摺の構造によれば、構造体の断面欠損および鉄筋のかぶり不足という不具合が発生しなくなる。また、これを避けるためのコンクリートふかし（増し打ち）も必要無い。コンクリート掘り込みに伴う、掘り込み作業、掘りこみ部の維持、埋め戻しに係る工期と費用が削減できる。
【００１２】
前記下枠および沓摺は、ステンレス製のフラットバーを使用しているので、取付前に予めモルタル等を充填する必要が無い。更に、水たまりやゴミ溜まりの要因が減少し、建設作業員の安全な通行が確保できる。コンクリート廃棄物が減少し、環境の保全に寄与する。建物の建設工事の工程が一段落してから取り付けることもできるので、当該箇所の通行や資機材の移動の妨げにならない。更に、接着剤で床面に固着しているとともに縦枠にフラットバーの両端部を噛み合わせているので、耐久性が向上するという優れた効果を奏するものである。
【図面の簡単な説明】
【００１３】
【図１】本発明に係る扉の下枠および沓摺の構造を示すもので、図２−ＡのＸ−Ｘ線に沿った縦断面図である。
【図２−Ａ】同本発明の扉の下枠および沓摺の構造を示す一部平面図である。
【図２−Ｂ】縦枠１５の下枠部分において、下枠補強フラットバー２ｃを縦枠１５の下部に予め溶接して固着し、その下枠補強フラットバー２ｃの突出部分に下枠２の切欠き部２ｄを噛み合わせる様子を示す説明用一部斜視図である。
【図２−Ｃ】図２−Ｂで示す下枠用フラットバー２ａの噛み合わせの構造を示す一部平面図である。
【図３】図２−ＣにおけるＡ−Ａ線に沿った断面図（Ａ）と、同図Ｂ−Ｂ線に沿った断面図（Ｂ）とである。
【図４】従来例に係る扉の下枠と沓摺の構造に係る縦断面図である。
【図５】同従来例に係る沓摺の構造を示す一部縦断面図である。
【発明を実施するための形態】
【００１４】
本発明に係る扉の下枠および沓摺の構造は、図１乃至図３に示すように、ステンレス製のフラットバーを、その両端部を縦枠に固定した下枠補強フラットバーに噛み合わせると共に接着剤で床面に固着するものである。なお、説明の都合上、扉の下枠を、下枠と沓摺とに分けて説明する。
【実施例１】
【００１５】
図１に示すように、建物における扉４が、片扉（幅９００ｍｍ、厚さ４０ｍｍ、高さ２０００ｍｍ程度）、（両開き扉等も含む）で密閉度が比較的高い場合、扉４の下部に設けられる下枠２および沓摺７の構造は、前記下枠２が、床面３に載置される下枠用フラットバー（厚さ５〜１０ｍｍ、幅９００ｍｍ、奥行き５０ｍｍ程度）２ａと、扉４の片面４ａ側に近接し前記下枠用フラットバー２ａに載置される下枠本体２ｂと、前記下枠用フラットバー２ａの下面に、溶接手段で固着して垂設される固定用金属棒（直径６ｍｍ程度、ステンレス製）５とで構成されている。
【００１６】
前記沓摺７が、前記床面３に載置される沓摺用フラットバー（厚さ５〜１０ｍｍ程度）７ａと、該沓摺用フラットバー７ａの下面に、溶接手段で固着して垂設された固定用金属棒（直径６ｍｍ程度、ステンレス製）８とで構成されている。
【００１７】
前記下枠用フラットバー２ａおよび沓摺用フラットバー７ａが、一例としてエポキシ系の接着剤６を介して前記床面３に貼着されている。この両者のフラットバー２ａ，７ａは共に、その長手方向の長さが、扉４の幅に相当する長さにして、図の紙面垂直方向に延設されているものである。
【００１８】
前記下枠用フラットバー２ａの固定用金属棒５と沓摺用フラットバー７ａの固定用金属棒８とが、前記床面３に穿設された固定用孔３ａに挿入され，且つ、一例としてエポキシ系の接着剤６を介してそれぞれ固着されている。
【００１９】
前記下枠用フラットバー２ａと、沓摺用フラットバー７ａとが、図１では、同じ厚さで一体にして示しているが、別体としても良い。また、これらは、耐腐食性に優れたステンレス製である。なお、前記下枠用フラットバー２ａと、これに載置されるステンレス製の下枠本体２ｂとは、例えば、溶接手段（ＴＩＧ溶接など）で互いに一体に固着されるものである。
【００２０】
前記下枠２は、下枠用フラットバー２ａを設けて、そこに、曲げ加工したステンレス製の下枠本体２ｂを固着して載置している。従来の図５に示す下枠は、ステンレス製で薄肉厚の沓摺本体１４を、取付ネジ１８で床に固定しているので、緩衝材若しくは遮音材（密閉用ゴム）１７を介して扉４に当接していても、例えば、防音扉等に使用されるグレモン錠における大きな力や繰り返しの衝撃に対して高耐久性があるとは言い難い。
【００２１】
それに対して、本発明では、肉厚の下枠用フラットバー２ａを床面に接着剤６を介してしっかりと固定し、その下枠用フラットバー２ａに充填材（モルタルなど）９を充填した下枠本体２ｂを固着しているので、レベル精度を確保すると共に、頑強であって高耐久性がある。
【００２２】
更に、図２−Ｂ乃至図３に示すように、前記下枠用フラットバー２ａの両端を、縦枠１５から下枠補強フラットバー２ｃを突設させて、そこに下枠用フラットバー２ａの切欠き部２ｄを嵌合させる構造にする。前記下枠補強フラットバー２ｃの一端部は、縦枠１５の水平力を受ける受け部１５ｄに予め溶接等で固定している。
【００２３】
このような構造により、下枠用フラットバー２ａを前記下枠補強フラットバー２ｃを介して縦枠１５に噛み合わせているので、水平力に対して抵抗できる強固な構造となっている。なお、前記下枠補強フラットバー２ｃを予め縦枠１５側に固定手段で固定しているのは、下枠用フラットバー２ａを床面に接着剤で接着させる取付作業の施工性を良くするためである。
【００２４】
このように構成されている扉の下枠と沓摺の構造においては、例えば、前記下枠用フラットバー２ａと固定用金属棒５とが、溶接手段で強固に固着されているので、扉４の開閉による水平力や衝撃に対しても強いものである。
【００２５】
更に、前記下枠用フラットバー２ａと、沓摺用フラットバー７ａとの床面に対する固定方法が、下枠用・沓摺用のフラットバー２ａ，７ａの下面と床面との間の接着剤６と、固定用金属棒５，８を床面３に穿設した固定用孔３ａに挿入して接着剤６で固着するだけなので、コンクリート床の掘込み作業がなく、騒音、埃の飛散などの障害が解消される。
【実施例２】
【００２６】
前記下枠２の下枠本体２ｂには、遮音性能が要求される場合、扉４との当接面に、音響及び空気遮断用の合成樹脂部材（例えば、密閉用ゴム材１７など）が、ステンレス板を曲げ加工する際に形成されるはめ込み部分に、装着されるものである。これにより、遮音性が向上することが実験で確認されている。
【００２７】
なお、扉の下部に設けられる沓摺の構造において、前記沓摺が、床面に載置される沓摺用フラットバーと、該沓摺用フラットバーの下面に固着して垂設された固定用金属棒とで構成され、前記沓摺用フラットバーが、接着剤を介して前記床面に貼着され、前記沓摺用フラットバーの固定用金属棒が、前記床面に穿設された固定用孔に挿入され，且つ、接着剤を介してそれぞれ固着されている場合もある。
【００２８】
以上のように、本発明に係る扉の下枠および沓摺の構造においては、下枠用フラットバー２ａと、沓摺用フラットバー７ａとで、接着剤６で床面３にしっかりと固定しているので、耐久性に問題が無く、工期も従来に比べて短縮され、固定用孔３ａの穿設工事の騒音も殆ど無く静粛である。
【００２９】
前記下枠２と沓摺７とは、予め扉枠の製作現場において装着する場合と、扉用開口部で三方枠取付後に現地で設置・固定する場合とが有り、後者の現地で施工する場合には、建物の建設工事の工程が一段落してから、これらを取り付けることができるので、当該箇所の通行や資機材の移動の妨げにならないという利点もある。
【産業上の利用可能性】
【００３０】
本発明に係る扉の下枠および沓摺の構造によれば、建物の各種扉の構造に広く適用することができる。
【符号の説明】
【００３１】
１，１ａ          扉の下枠および沓摺の構造、
２          下枠、                      ２ａ      下枠用フラットバー、
２ｂ        下枠本体、                  ２ｃ      下枠補強フラットバー、
２ｄ        切欠き部、
３          床面、                      ３ａ      固定用孔、    
４          扉、                        ４ａ      片面、
５          固定用金属棒、
６          接着剤（エポキシ系等）、
７          沓摺、                      ７ａ      沓摺用フラットバー、
８          固定用金属棒、
９          充填材（モルタル等）、
１０        壁仕上げ材、
１１，１１ａ        従来の扉の下枠および沓摺の構造、
１２        扉、
１３        沓摺、
１４        沓摺（沓摺本体）、
１５        縦枠、                      １５ａ，１５ｂ        補強材、
１５ｃ      縦枠取付け用金物、          １５ｄ      受け部、
１６        コンクリート床面、          １６ａ      掘込み部分、
１７        遮音・気密材（密閉用ゴム材）、
１８        取付ネジ。
【図１】
2018135637.tif 000003
【図２−Ａ】
2018135637.tif 000004
【図２−Ｂ】
2018135637.tif 000005
【図２−Ｃ】
2018135637.tif 000006
【図３】
2018135637.tif 000007
【図４】
2018135637.tif 000008
【図５】
2018135637.tif 000009